(57)【特許請求の範囲】
【請求項１】
近距離無線通信によって、ユーザ識別情報をユーザ端末から受信する端末通信部と、
前記端末通信部が近距離無線通信によって前記ユーザ識別情報を受信したことに応じて、現金を払い出す旨の払出通知を送信したユーザ端末のユーザのユーザ識別情報を保持するサーバと通信して、前記端末通信部が受信した前記ユーザ識別情報を前記サーバが保持しているか否かを確認する払出確認部と、
前記端末通信部が受信した前記ユーザ識別情報を前記サーバが保持していることが前記払出確認部によって確認された場合に、現金を払い出す現金払出部と
を備え、
前記端末通信部は、近距離無線通信によって前記ユーザ端末の存在を検出したことに応じて、前記払出通知を前記サーバに送信するためのユーザインタフェースを前記ユーザ端末に表示させる
現金払出システム。
【請求項２】
近距離無線通信によって、ユーザ識別情報をユーザ端末から受信する端末通信部と、
前記端末通信部が近距離無線通信によって前記ユーザ識別情報を受信したことに応じて、現金を払い出す旨の払出通知を送信したユーザ端末のユーザのユーザ識別情報を保持するサーバと通信して、前記端末通信部が受信した前記ユーザ識別情報を前記サーバが保持しているか否かを確認する払出確認部と、
前記端末通信部が受信した前記ユーザ識別情報を前記サーバが保持していることが前記払出確認部によって確認された場合に、現金を払い出す現金払出部と
を備え、
前記端末通信部は、第１の近距離無線通信によって前記ユーザ端末の存在を検出したことに応じて、前記払出通知を前記サーバに送信するためのユーザインタフェースを前記ユーザ端末に表示させ、前記第１の近距離無線通信の終了後の第２の近距離無線通信において、前記ユーザ端末の存在を検出したことに応じて、前記ユーザ識別情報を前記ユーザ端末から受信する
現金払出システム。
【請求項３】
前記ユーザインタフェースは、ユーザが払出金額を指定するためのユーザインタフェースを含み、
前記サーバは、前記ユーザインタフェースを通じてユーザが指定した払出金額を示す情報及び前記払出通知を前記ユーザ端末から受信して、前記払出金額を示す払出金額情報を、前記払出通知を送信した前記ユーザ端末のユーザのユーザ識別情報に対応づけて保持し、
前記払出確認部は、前記端末通信部が受信した前記ユーザ識別情報を前記サーバに送信して、当該ユーザ識別情報に対応づけて前記サーバが保持している払出金額情報を前記サーバから受信し、
前記現金払出部は、前記払出確認部が前記サーバから受信した前記払出金額情報が示す払出金額の現金を払い出す
請求項２に記載の現金払出システム。
【請求項４】
前記端末通信部は、前記第１の近距離無線通信によって前記ユーザ端末の存在を検出したことに応じて、前記ユーザ端末が前記サーバに前記払出通知を送信するべく前記サーバにログインするためのユーザインタフェースを前記ユーザ端末に表示させる
請求項２又は３に記載の現金払出システム。
【請求項５】
前記端末通信部は、前記第１の近距離無線通信によって前記ユーザ端末の存在を検出したことに応じて、前記ユーザ識別情報を前記ユーザ端末から受信し、
前記現金払出部は、前記端末通信部が前記第１の近距離無線通信によって受信した前記ユーザ識別情報と、前記端末通信部が前記第２の近距離無線通信によって受信した前記ユーザ識別情報とが一致する場合に、現金を払い出す
請求項２から４のいずれか一項に記載の現金払出システム。
【請求項６】
近距離無線通信によって、ユーザ識別情報をユーザ端末から受信する端末通信部と、
前記端末通信部が近距離無線通信によって前記ユーザ識別情報を受信したことに応じて、現金を払い出す旨の払出通知を送信したユーザ端末のユーザのユーザ識別情報を保持するサーバと通信して、前記端末通信部が受信した前記ユーザ識別情報を前記サーバが保持しているか否かを確認する払出確認部と、
前記端末通信部が受信した前記ユーザ識別情報を前記サーバが保持していることが前記払出確認部によって確認された場合に、現金を払い出す現金払出部と、
前記払出通知を前記サーバに送信するためのユーザインタフェースを前記ユーザ端末に表示させるビーコン信号を、前記近距離無線通信による通信可能範囲より広い範囲に発信するビーコン発信部と
を備える現金払出システム。
【請求項７】
現金払出装置と、
前記現金払出装置に対応づけて設けられた受付装置と
を備え、
前記受付装置は、
近距離無線通信によってユーザ端末と通信し、近距離無線通信によって前記ユーザ端末の存在を検出したことに応じて、現金を払い出す旨の払出通知を送信したユーザ端末のユーザのユーザ識別情報を保持するサーバに前記払出通知を送信するためのユーザインタフェースを前記ユーザ端末に表示させるユーザ端末制御部
を有し、
前記現金払出装置は、
近距離無線通信によって、ユーザ識別情報を前記ユーザ端末から受信する端末通信部と、
前記端末通信部が近距離無線通信によって前記ユーザ識別情報を受信したことに応じて、前記サーバと通信して、前記端末通信部が受信した前記ユーザ識別情報を前記サーバが保持しているか否かを確認する払出確認部と、
前記端末通信部が受信した前記ユーザ識別情報を前記サーバが保持していることが前記払出確認部によって確認された場合に、現金を払い出す現金払出部と
を有する、現金払出システム。
【請求項８】
前記受付装置は、
近距離無線通信によって前記ユーザ端末から受信した前記ユーザ識別情報と、前記受付装置に対応づけられた前記現金払出装置の識別情報とを、前記サーバに送信するサーバ通信部
をさらに有し、
前記サーバは、前記サーバ通信部から受信した前記ユーザ識別情報と前記現金払出装置の識別情報とを対応づけて保持し、
前記端末通信部は、近距離無線通信によって前記ユーザ端末の存在を検出したことに応じて、近距離無線通信によってユーザ識別情報を前記ユーザ端末から受信し、
前記払出確認部は、前記端末通信部が近距離無線通信によって前記ユーザ識別情報を前記ユーザ端末から受信したことに応じて、受信した前記ユーザ識別情報と前記現金払出装置の識別情報とを前記サーバに送信し、
前記サーバは、前記払出確認部から前記ユーザ識別情報及び前記現金払出装置の識別情報を受信した場合に、前記払出確認部から受信した前記ユーザ識別情報に対応づけて前記払出確認部から受信した前記現金払出装置の識別情報を保持していることを条件として、前記現金払出装置が現金を払い出すことを前記現金払出装置に許可する
請求項７に記載の現金払出システム。
【請求項９】
前記サーバ
をさらに備える請求項１から８のいずれか一項に記載の現金払出システム。
【請求項１０】
コンピュータを、請求項１から８のいずれか一項に記載の現金払出システムとして機能させるためのプログラム。
【発明の詳細な説明】
【技術分野】
【０００１】
本発明は、現金払出システム及びプログラムに関する。
【背景技術】
【０００２】
ＡＴＭの識別情報に基づく２ＤバーコードをＡＴＭ画面上に表示し、表示された２Ｄバーコードを顧客の移動デバイスでスキャンして金融ウェブサービスに送信し、２Ｄバーコード情報から識別されるＡＴＭに、金融ウェブサービスがトランザクションを実行させるシステムが知られている（例えば、特許文献１参照。）。
特許文献１  特開２０１３−１０５４９０号公報
【発明の概要】
【発明が解決しようとする課題】
【０００３】
例えば上記特許文献に記載のシステムでは、２Ｄバーコード等のメッセージを表示する機能をＡＴＭに組み込む必要がある。また、ＡＴＭの識別情報に係る２Ｄコードを移動デバイスがスキャンすることは、安全上好ましくない。このように、従来、ユーザ端末を用いた簡単な操作で現金を払い出すことができる、安全性が高いシステムを提供することができないという課題があった。
【課題を解決するための手段】
【０００４】
第１の態様においては、現金払出システムは、近距離無線通信によって、ユーザ識別情報をユーザ端末から受信する端末通信部と、端末通信部が近距離無線通信によってユーザ識別情報を受信したことに応じて、現金を払い出す旨の払出通知を送信したユーザ端末のユーザのユーザ識別情報を保持するサーバと通信して、端末通信部が受信したユーザ識別情報をサーバが保持しているか否かを確認する払出確認部と、端末通信部が受信したユーザ識別情報をサーバが保持していることが払出確認部によって確認された場合に、現金を払い出す現金払出部とを備える。
【０００５】
端末通信部は、第１の近距離無線通信によってユーザ端末の存在を検出したことに応じて、払出通知をサーバに送信するためのユーザインタフェースをユーザ端末に表示させ、第１の近距離無線通信の終了後の第２の近距離無線通信において、ユーザ端末の存在を検出したことに応じて、ユーザ識別情報をユーザ端末から受信してよい。
【０００６】
ユーザインタフェースは、ユーザが払出金額を指定するためのユーザインタフェースを含み、サーバは、ユーザインタフェースを通じてユーザが指定した払出金額を示す情報及び払出通知をユーザ端末から受信して、払出金額を示す払出金額情報を、払出通知を送信したユーザ端末のユーザのユーザ識別情報に対応づけて保持し、払出確認部は、端末通信部が受信したユーザ識別情報をサーバに送信して、当該ユーザ識別情報に対応づけてサーバが保持している払出金額情報をサーバから受信し、現金払出部は、払出確認部がサーバから受信した払出金額情報が示す払出金額の現金を払い出してよい。
【０００７】
端末通信部は、第１の近距離無線通信によってユーザ端末の存在を検出したことに応じて、ユーザ端末がサーバに払出通知を送信するべくサーバにログインするためのユーザインタフェースをユーザ端末に表示させてよい。
【０００８】
端末通信部は、第１の近距離無線通信によってユーザ端末の存在を検出したことに応じて、ユーザ識別情報をユーザ端末から受信し、現金払出部は、端末通信部が第１の近距離無線通信によって受信したユーザ識別情報と、端末通信部が第２の近距離無線通信によって受信したユーザ識別情報とが一致する場合に、現金を払い出してよい。
【０００９】
払出通知をサーバに送信するためのユーザインタフェースをユーザ端末に表示させるビーコン信号を、近距離無線通信の通信可能範囲より広い範囲に発信するビーコン発信部をさらに備えてよい。
【００１０】
第２の態様においては、現金払出システムは、現金払出装置と、現金払出装置に対応づけて設けられた受付装置とを備え、受付装置は、近距離無線通信によってユーザ端末と通信し、近距離無線通信によってユーザ端末の存在を検出したことに応じて、現金を払い出す旨の払出通知を送信したユーザ端末のユーザのユーザ識別情報を保持するサーバに払出通知を送信するためのユーザインタフェースをユーザ端末に表示させるユーザ端末制御部を有し、現金払出装置は、近距離無線通信によって、ユーザ識別情報をユーザ端末から受信する端末通信部と、端末通信部が近距離無線通信によってユーザ識別情報を受信したことに応じて、サーバと通信して、端末通信部が受信したユーザ識別情報をサーバが保持しているか否かを確認する払出確認部と、端末通信部が受信したユーザ識別情報をサーバが保持していることが払出確認部によって確認された場合に、現金を払い出す現金払出部とを有する。
【００１１】
端末通信部は、近距離無線通信によってユーザ端末の存在を検出したことに応じて、近距離無線通信によってユーザ識別情報をユーザ端末から受信し、受付装置は、近距離無線通信によってユーザ端末から受信したユーザ識別情報と、受付装置に対応づけられた現金払出装置の識別情報とを、サーバに送信するサーバ通信部をさらに有し、サーバは、サーバ通信部から受信したユーザ識別情報と現金払出装置の識別情報とを対応づけて保持し、払出確認部は、端末通信部が近距離無線通信によってユーザ識別情報をユーザ端末から受信したことに応じて、受信したユーザ識別情報と現金払出装置の識別情報とをサーバに送信し、サーバは、払出確認部からユーザ識別情報及び現金払出装置の識別情報を受信した場合に、払出確認部から受信したユーザ識別情報に対応づけて払出確認部から受信した現金払出装置の識別情報を保持していることを条件として、現金払出装置が現金を払い出すことを現金払出装置に許可してよい。
【００１２】
上記第１の態様の現金払出システム及び上記第２の態様の現金払出システムは、サーバをさらに備えてよい。
【００１３】
第３の態様においては、プログラムは、コンピュータを、上記の現金払出システムとして機能させる。
【００１４】
なお、上記の発明の概要は、本発明の特徴の全てを列挙したものではない。また、これらの特徴群のサブコンビネーションもまた、発明となりうる。
【図面の簡単な説明】
【００１５】
【図１】一実施形態における現金払出システム５の利用環境の一例を概略的に示す。
【図２】ＣＤ１００が備える機能構成を示すブロック図である。
【図３】ユーザ端末１８０、ＣＤ１００及びサーバ１１０の処理シーケンスを示す。
【図４】ユーザ端末１８０が表示するログイン画面４００を概略的に示す。
【図５】ログインが完了した後のメニュー選択画面５００の一例を概略的に示す。
【図６】払出通知送信用画面６００を概略的に示す。
【図７】払出通知データベース１２２が格納する情報をテーブル形式で示す。
【図８】現金払出システム５の第３変形例としての現金払出システム８０５の利用環境の一例を概略的に示す。
【図９】現金払出システム８０５の第１変形例において受付装置８００が備える機能ブロックを概略的に示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、一実施形態における現金払出システム５の利用環境の一例を概略的に示す。現金払出システム５は、サーバ１１０と、データベースサーバ１２０と、それぞれ現金自動払出機であるＣＤ１００ａ、ＣＤ１００ｂ及びＣＤ１００ｃと、銀行ネットワーク１６０と、ユーザ端末１８０とを備える。
【００１８】
ユーザ端末１８０は、携帯機器である。ユーザ端末１８０は、例えば、スマートフォン等の移動電話機、携帯情報端末、タブレット型コンピューティングデバイス等の、通信機能を持つ携帯型の電子機器である。ユーザ端末１８０には、ネットバンキング用のアプリケーションソフトウェアがインストールされている。なお、当該アプリケーションソフトウェアを、「ネットバンキングアプリ」と略称する。ユーザ端末１８０は、インターネット回線等の公衆ネットワーク、移動体通信網等を含む通信ネットワーク１７０を通じて、ネットバンキング機能を提供するサーバ１１０と通信する。例えば、ユーザ端末１８０は、通信ネットワーク１７０を通じてサーバ１１０と通信して、サーバ１１０が提供するネットバンキング機能を利用して、振り込み等をサーバ１１０に指示する。
【００１９】
サーバ１１０は、銀行ネットワーク１６０を通じてデータベースサーバ１２０にアクセスして、ネットバンキングの機能を含む、銀行業務に関連する様々な情報処理を行う。データベースサーバ１２０は、元帳データベース１２１、払出通知データベース１２２、認証情報データベース１２３、及び、銀行業務に関連する他の各種の情報を格納する。元帳データベース１２１には、口座毎の入出金履歴を含む口座関連情報が格納される。例えば、元帳データベース１２１は、入出金の種別、入出金が行われた日付、入出金の金額等の入出金履歴を口座毎に格納する。なお、サーバ１１０の機能は、１つ又は複数のサーバによって実現されてよい。また、データベースサーバ１２０の機能は、１つ又は複数のデータベースサーバによって実現されてよい。また、サーバ１１０及びデータベースサーバ１２０の機能は、１つのサーバによって実現されてもよい。
【００２０】
ＣＤ１００ａは、銀行ネットワーク１６０を通じてサーバ１１０と通信して、ユーザ１９０に現金の払い出しを行う。なお、ＣＤ１００ａ、ＣＤ１００ｂ及びＣＤ１００ｃは、それぞれ互いに同様の機能を有する。そのため、本実施形態の説明では、ＣＤ１００ａ、ＣＤ１００ｂ及びＣＤ１００ｃの符号の末尾を省略して、「ＣＤ１００」と総称する場合がある。
【００２１】
ＣＤ１００は、現金払出口１０４及びＮＦＣインタフェース面１０２を備える。ＣＤ１００は、ＮＦＣ（Ｎｅａｒ  Ｆｉｅｌｄ  Ｃｏｍｍｕｎｉｃａｔｉｏｎ）機能を有し、ＮＦＣインタフェース面１０２の近傍に、ＮＦＣに基づく近距離無線通信に用いる電磁波を提供する。ＣＤ１００は、ＮＦＣ機能を持つ機器がＮＦＣインタフェース面１０２の近傍に存在する場合に、当該機器を検出して、当該機器と近距離無線通信によって通信することができる。
【００２２】
ユーザ端末１８０は、通信ネットワーク１７０を通じた無線通信に加えて、ＮＦＣ機能を有する。ユーザ１９０は、ユーザ端末１８０のユーザである。ユーザ１９０は、ユーザ端末１８０を用いてサーバ１１０及びＣＤ１００と通信して、ＣＤ１００から現金の払い出しを受ける。ユーザ１９０がＣＤ１００ａから現金を払い出す場合を取り上げて、各構成要素の動作を概略的に説明する。
【００２３】
ユーザ１９０は、ＣＤ１００ａから現金の払い出しをする場合に、先ず、ＣＤ１００ａのＮＦＣインタフェース面１０２にユーザ端末１８０を近接させて、ＣＤ１００ａにユーザ端末１８０を検出させる。
【００２４】
ＣＤ１００ａは、ユーザ端末１８０を検出すると、ユーザ端末１８０にネットバンキングアプリを起動させて、ネットバンキングのログイン画面をユーザ端末１８０に表示させる。ユーザ１９０は口座番号及びログインパスワード等のログイン情報を入力して、サーバ１１０にログインする。サーバ１１０は、認証情報データベース１２３に格納されている情報とログイン情報を照合して、ログインの可否を決定する。
【００２５】
ユーザ１９０は、サーバ１１０にログインした後、ユーザ端末１８０に表示される操作画面を通じて、現金の払い出しのための操作を行う。このとき、ユーザ１９０は、ユーザ端末１８０の画面操作を通じて、払出金額を指定することができる。ユーザ端末１８０は、ユーザ１９０によって払出通知をするよう指示されると、ユーザ端末１８０のユーザＩＤ及び払出金額とともに、払出通知をＣＤ１００に送信する。サーバ１１０に送信されたユーザＩＤ及び払出金額の情報は、払出通知データベース１２２に対応づけて格納される。このように、サーバ１１０は、現金を払い出す旨の払出通知を送信したユーザＩＤを保持する。なお、ユーザＩＤは、ユーザ１９０を識別する識別情報の一例である。ユーザＩＤは、例えば銀行サービスの提供者によって、ユーザ１９０に割り当てられる。ユーザＩＤは、ユーザ端末１８０の識別情報であってもよい。
【００２６】
続いて、ユーザ１９０は、ＣＤ１００ａのＮＦＣインタフェース面１０２にユーザ端末１８０を再度近接させて、ＣＤ１００ａにユーザ端末１８０を検出させる。ＣＤ１００ａは、ユーザ端末１８０を検出すると、ユーザ端末１８０から近距離無線通信によってユーザＩＤを受信する。ＣＤ１００ａは、ユーザ端末１８０から受信したユーザＩＤをサーバ１１０に送信する。サーバ１１０は、ＣＤ１００ａから受信したユーザＩＤに一致するユーザＩＤが払出通知データベース１２２内に格納されている場合に、当該ユーザＩＤに対応づけられた払出金額を示す情報とともに、払い出しを許可する旨をＣＤ１００ａに送信する。
【００２７】
現金払出システム５によれば、ユーザ１９０はユーザ端末１８０を用いた簡単な操作でＣＤ１００から現金を引き出すことができる。また、ユーザ端末１８０が、ＣＤ１００等からＣＤ１００内の制御に関する情報をユーザ端末１８０に送信する必要がない。そのため、安全性の高い現金払出システムを提供できる。また、現金払出システム５によれば、ユーザ１９０はユーザ端末１８０を用いて払出操作するので、ＣＤ１００に払出操作をするための画面等を表示する必要がない。また、ＣＤ１００にタッチパネル機能を組み込む必要もない。これにより、ディスプレイ等の表示デバイスやタッチパネル等のユーザインタフェースデバイスをＣＤ１００に組み込む必要がない。したがって、ＣＤ１００のコストを削減できる。
【００２８】
図２は、ＣＤ１００が備える機能構成を示すブロック図である。ＣＤ１００は、払出確認部２００と、ＮＦＣ部２１０と、サーバ通信部２２０と、現金払出部２３０とを備える。払出確認部２００は、ＭＰＵ等のプロセッサで実現される。ＮＦＣ部２１０は、ＮＦＣを実現するＩＣチップ等で実現される。サーバ通信部２２０は、ネットワークＩＣ等で実現される。ＣＤ１００は、２次元の画面を表示する表示デバイスを備えていない。
【００２９】
ユーザ端末１８０は、処理部２５０と、ＮＦＣ部２６０と、通信部２７０と、表示部２８０とを有する。処理部２５０は、ＭＰＵ等のプロセッサで実現される。ＮＦＣ部２６０は、ＮＦＣを実現するＩＣチップ等で実現される。通信部２７０は、移動体通信用プロセッサ、ネットワークＩＣ等で実現される。通信部２７０は、ＷｉＦｉ等の通信規格や、移動体通信の通信規格等、１つ又は複数の通信規格に従って通信する機能を有する。表示部２８０は、液晶ディスプレイ等の表示デバイスで実現される。
【００３０】
ＣＤ１００のＮＦＣ部２１０は、近距離無線通信を担う。ＮＦＣ部２１０は、近距離無線通信によって、ユーザＩＤをユーザ端末１８０から受信する。具体的には、ＮＦＣ部２１０は、ポーリング信号を定期的に発信する。ユーザ端末１８０のＮＦＣ部２６０は、ＮＦＣ部２１０からのポーリング信号の電磁波を検出すると、ポーリング信号に応答する。これにより、ＣＤ１００のＮＦＣ部２１０は、近接するユーザ端末１８０の存在を検出する。ＮＦＣ部２１０は、近接するユーザ端末１８０の存在を検出した後、近距離無線通信によってユーザ端末１８０からユーザＩＤを受信することができる。
【００３１】
払出確認部２００は、ＮＦＣ部２１０が近距離無線通信によってユーザＩＤを受信したことに応じて、サーバ１１０と通信して、ＮＦＣ部２１０が受信したユーザＩＤをサーバ１１０が保持しているか否かを確認する。具体的には、払出確認部２００は、ＮＦＣ部２１０が受信したユーザＩＤをサーバ１１０に送信して、当該ユーザＩＤをサーバ１１０が保持しているか否かを示す情報をサーバ１１０から受信する。そして、現金払出部２３０は、ＮＦＣ部２１０が受信したユーザＩＤをサーバ１１０が保持していることが払出確認部２００によって確認された場合に、現金を払い出す。現金払出部２３０は、ＣＤ１００内に格納されている紙幣等の中から、払い出すべき金額の現金を選択して、選択した現金を現金払出口１０４に移動させる。
【００３２】
ユーザ端末１８０及びＣＤ１００は、１回の払い出しをするために、少なくとも２回の近距離無線通信を行ってよい。例えば、ＮＦＣ部２１０は、第１の近距離無線通信によってユーザ端末１８０の存在を検出したことに応じて、払出通知をサーバ１１０に送信するためのユーザインタフェースをユーザ端末１８０に表示させる。そして、ＮＦＣ部２１０は、第１の近距離無線通信の終了後の第２の近距離無線通信において、ユーザ端末１８０の存在を検出したことに応じて、ユーザＩＤをユーザ端末１８０から受信する。
【００３３】
例えば、「ユーザインタフェース」は、ユーザ端末１８０にインストールされているアプリケーションソフトウェアによって提供される。一例として、「ユーザインタフェース」は、ネットバンキングアプリによって提供される。払出通知をサーバ１１０に送信する機能は、ネットバンキングアプリによって実装される。ＮＦＣ部２１０は、第１の近距離無線通信によってユーザ端末１８０の存在を検出したことに応じて、ネットバンキングアプリにおいて払出通知送信用画面を有効化する有効化信号を、第１の近距離無線通信においてＮＦＣ部２６０に送信する。ユーザ端末１８０が有効化信号を受信すると、ネットバンキングアプリにおいて払出通知の送信を指示することが可能になる。なお、ユーザ端末１８０において、ネットバンキングアプリが起動していない場合には、有効化信号を受信したことに応じて、処理部２５０がネットバンキングアプリを起動する。これにより、処理部２５０は、サーバ１１０が提供するインターネットバンキングのログイン画面を、表示部２８０に表示させる。このように、ＮＦＣ部２１０は、第１の近距離無線通信によってユーザ端末１８０の存在を検出したことに応じて、ユーザ端末１８０がサーバ１１０に払出通知を送信するべくサーバ１１０にログインするためのユーザインタフェースをユーザ端末１８０に表示させる。
【００３４】
なお、ユーザＩＤは、サーバ１１０からユーザ端末１８０に割り当てられてよい。例えば、ユーザ端末１８０は、ネットバンキングアプリがインストールされて、ユーザ端末１８０がサーバ１１０に最初にアクセスしたときに、サーバ１１０からユーザＩＤを受信してよい。ユーザ端末１８０は、サーバ１１０から割り当てられたユーザＩＤをユーザ端末１８０内のセキュアな記憶領域に格納する。例えば、ユーザＩＤは、ＮＦＣ部２６０内のセキュアな記憶領域に格納されてよい。
【００３５】
図３は、ユーザ端末１８０、ＣＤ１００及びサーバ１１０の処理シーケンスの一例を示す。Ｓ３０２において、ＮＦＣ部２１０は、ポーリング動作を開始する。ＮＦＣ部２１０は、上述したようにポーリング信号の定期的な発信を開始する。
【００３６】
Ｓ３０４において、ＮＦＣ部２６０は、ＮＦＣ部２１０からのポーリング信号を受信すると、ポーリング信号に応答する。具体的には、ＮＦＣ部２６０は、ＮＦＣ部２１０からの電磁波を負荷変調することにより、ポーリング信号に対する応答を送信する。
【００３７】
Ｓ３０６において、ＮＦＣ部２６０は、払出通知を送信するユーザインタフェースを有効化することを指示する有効化信号を送信する。なお、ＮＦＣ部２６０は、有効化信号を送信した後、ＮＦＣ部２６０との通信が切断したことを検出すると、Ｓ３０４によって開始されたＮＦＣ部２６０との間の近距離無線通信を終了して、ポーリング動作を再開する（Ｓ３０８）。
【００３８】
ユーザ端末１８０において、ＮＦＣ部２６０がＮＦＣ部２１０からの有効化信号を受信すると、処理部２５０は、有効化信号に応じた処理を行う。例えば、処理部２５０は、インターネットバンキングを提供するソフトウェアが起動していない場合、当該アプリケーションソフトウェアを起動して、サーバ１１０へのログイン画面を表示する（Ｓ３１２）。ログイン画面については、図４に関連してより詳細に説明する。
【００３９】
ユーザ端末１８０において、ユーザ１９０がログイン画面に対してログイン情報を入力して、ユーザ１９０からログインが指示されると、サーバ通信部２２０は、入力されたログイン情報を、通信ネットワーク１７０を通じてサーバ１１０に送信する（Ｓ３１４）。ログイン情報には、例えば店番号、口座番号及びパスワードが含まれる。
【００４０】
Ｓ３１６において、サーバ１１０は、受信したログイン情報を用いて、ユーザ１９０又はユーザ端末１８０を認証する。例えば、サーバ１１０は、ログイン情報に適合する情報が認証情報データベース１２３に格納されているかを判断する。サーバ１１０は、ログイン情報に適合する情報が認証情報データベース１２３に格納されている場合にログインを許可し、ログイン情報に適合する情報が認証情報データベース１２３に格納されていない場合にログインを拒否する。サーバ１１０は、ログインの可否を示す情報をユーザ端末１８０に送信する（Ｓ３１８）。
【００４１】
図３の処理シーケンスは、ログインが許可された場合のシーケンスである。Ｓ３０６において有効化信号を受信しているので、処理部２５０は、ユーザ１９０の指示に応じて、払出通知送信用画面を表示部２８０に表示する（Ｓ３２０）。払出通知送信用画面については、図６に関連してより詳細に説明する。ユーザ１９０は、払出通知送信用画面において、払出金額を指定することができる。ユーザ１９０から払出通知が指示されると、通信部２７０は、払出通知を、払出金額を示す払出金額情報及び口座識別情報とともにサーバ１１０に送信する（Ｓ３２２）。
【００４２】
サーバ１１０がＳ３２２で送信された情報を受信すると、サーバ１１０は、データベースサーバ１２０の元帳データベース１２１にアクセスして、口座識別情報で識別される口座から、払出金額情報が示す払出金額の現金を引き出すことが可能であるか否かを判断する（Ｓ３２４）。例えば、サーバ１１０は、口座識別情報で識別される口座の残額が、払出金額と払出手数料との合計額以上であるか否かを判断する。サーバ１１０は、口座から払出金額の現金を引き出すことが可能であると判断した場合、ユーザＩＤ及び払出金額を、データベースサーバ１２０の払出通知データベース１２２に格納する（Ｓ３２６）。払出通知データベース１２２については、図７に関連してより詳細に説明する。サーバ１１０は、払出金額の現金を引き出すことが可能であれば払い出しを許可し、払出金額の現金を引き出すことが不可能であれば払い出しを拒否する。サーバ１１０は、払い出しの可否を示す通知を、ユーザ端末１８０に送信する（Ｓ３２８）。
【００４３】
図３の処理シーケンスは、払い出しが許可された場合のシーケンスである。ユーザ端末１８０において、サーバ１１０から払い出しを許可する旨を受信すると、処理部２５０は、ユーザ端末１８０をＣＤ１００のＮＦＣインタフェース面１０２にタッチさせる旨の指示画面を、表示部２８０に表示させる（Ｓ３３０）。
【００４４】
ユーザ端末１８０がＣＤ１００のＮＦＣインタフェース面１０２に近接すると、ＮＦＣ部２６０は、ＮＦＣ部２１０からのポーリング信号を受信して、ポーリング信号に応答する（Ｓ３３２）。これにより、ＮＦＣ部２１０は、近接するユーザ端末１８０の存在を再び検出する。
【００４５】
Ｓ３３４において、ＮＦＣ部２６０は、ユーザ端末１８０のユーザＩＤを送信する。ＮＦＣ部２１０がユーザＩＤを受信すると、払出確認部２００は、ＮＦＣ部２１０が受信したユーザＩＤと、ＣＤ１００の識別情報である払出装置ＩＤとを、銀行ネットワーク１６０を通じてサーバ１１０に送信する（Ｓ３４０）。
【００４６】
Ｓ３４２において、サーバ１１０は、ユーザＩＤ及び払出装置ＩＤをＣＤ１００から受信すると、払出通知データベース１２２を検索して、ＣＤ１００から受信したユーザＩＤが払出通知データベース１２２に格納されているか否かを判断する（Ｓ３４２）。ＣＤ１００から受信したユーザＩＤが払出通知データベース１２２に格納されている場合、当該ユーザＩＤに対応づけて払出通知データベース１２２に格納されている払出金額を示す払出金額情報を、払い出しを許可する旨の通知とともに、銀行ネットワーク１６０を通じてＣＤ１００に送信する（Ｓ３４４）。
【００４７】
ＣＤ１００において、払出確認部２００が払い出しを許可する旨の通知及び払出金額情報をサーバ１１０から受信すると、現金払出部２３０は現金を払い出す（Ｓ３４６）。
【００４８】
図４は、ユーザ端末１８０が表示部２８０に表示するログイン画面４００を概略的に示す。ログイン画面４００は、店番号の入力ボックス４１０と、口座番号の入力ボックス４２０と、暗証番号の入力ボックス４３０と、ログインボタン４４０とを、構成オブジェクトとして含む。
【００４９】
ユーザ１９０は、入力ボックス４１０が表示された位置をタッチして、入力ボックス４１０に店番号を入力することができる。ユーザ１９０は、入力ボックス４２０が表示された位置をタッチして、入力ボックス４２０に口座番号を入力することができる。また、ユーザ１９０は、入力ボックス４３０が表示された位置をタッチして、入力ボックス４３０にパスワードを入力することができる。
【００５０】
ユーザ１９０は、ログインボタン４４０が表示された位置をタッチすることで、サーバ１１０へのログインを指示することができる。具体的には、処理部２５０は、ネットバンキングアプリの制御に従って、ログインボタン４４０が表示された位置がタッチされたことを検出すると、入力ボックス４１０、入力ボックス４２０及び入力ボックス４２０に入力された情報を取得して、取得した情報を含むログイン情報を、通信部２７０からサーバ１１０へ送信させる。
【００５１】
図５は、ログインが完了した後に表示部２８０に表示されるメニュー選択画面５００の一例を概略的に示す。メニュー選択画面５００は、払出通知送信メニューの選択ボタン５１０を、構成オブジェクトの一部として含む。選択ボタン５１０は、払出通知を送信するための払出通知送信用画面を表示させるためのオブジェクトである。
【００５２】
なお、メニュー選択画面５００は、ユーザ端末１８０をＣＤ１００に１度タッチさせて、ユーザ端末１８０が上述した有効化信号を受信している場合の画面である。ユーザ端末１８０が有効化信号を受信しているので、処理部２５０は、選択ボタン５１０を有効化して表示する。
【００５３】
ユーザ１９０は、有効化された選択ボタン５１０が表示された位置をタッチすることで、払出通知送信画面を表示するようユーザ端末１８０に指示することができる。具体的には、処理部２５０は、ネットバンキングアプリの制御に従って、選択ボタン５１０が表示された位置がタッチされたことを検出すると、図６に示す払出通知送信用画面を表示部２８０に表示させる。
【００５４】
図６は、払出通知送信用画面６００を概略的に示す。払出通知送信用画面６００は、払出金額の入力ボックス６１０と、出金通知送信ボタン６２０とを含む。ユーザ１９０は、入力ボックス６１０が表示された位置をタッチして、入力ボックス６１０に金額を入力することができる。
【００５５】
ユーザ１９０は、出金通知送信ボタン６２０が表示された位置をタッチすることで、払い出しをすることをサーバ１１０に通知することができる。具体的には、処理部２５０は、ネットバンキングアプリの制御に従って、出金通知送信ボタン６２０が表示された位置がタッチされたことを検出すると、入力ボックス６１０に入力された情報を取得して、取得した情報及び払出通知を、ユーザＩＤ及び口座識別情報とともに通信部２７０からサーバ１１０へ送信させる。
【００５６】
なお、払出通知を送信が完了すると、払出確認部２００は、払出通知を送信済みである旨の払出通知送信済情報を保持してよい。例えば、払出確認部２００は、ＮＦＣ部２６０のセキュアな記憶領域に、払出通知送信済情報を格納してよい。払出通知送信済情報を保持することで、払出確認部２００は、例えば図３のＳ３３０の後にポーリング信号を検出した場合に、払出通知を既に送信済みであるか否かを判断することができる。払出通知を既に送信済みであれば、払い出しを行うべく、ユーザＩＤを送信することができる（Ｓ３３４）。
【００５７】
なお、図５に示すメニュー選択画面５００及び図６に示す払出通知送信用画面６００は、ユーザ１９０が払出金額を指定するためのユーザインタフェースの一例である。また、図４から図６にかけて、ネットバンキングの画面遷移に従う画面の切り換え例を説明した。しかし、様々な態様も考える。例えば、図４に示すログイン情報を入力する画面の構成オブジェクトに、図６に示す入力ボックス６１０に対応するオブジェクトを含めてよい。ユーザからログインの指示を受けたことに応じて、図３のＳ３１４で送信されるログイン情報及び図３のＳ３２２で送信される情報をサーバ１１０に送信してもよい。また、送金金額は固定額であってよい。この場合、入力ボックス６１０に替えて、固定額の払出金額を示す固定の文字列を表示させてよい。
【００５８】
図７は、払出通知データベース１２２が格納する情報をテーブル形式で示す。払出通知データベース１２２は、有効な払出通知に関する情報を格納する。払出通知データベース１２２は、口座識別情報と、ユーザＩＤと、払出金額と、払出通知の受付日時とを対応づけて格納する。
【００５９】
サーバ１１０は、払出通知送信用画面６００を通じて払出金額情報、口座識別情報及びユーザＩＤとともに払出通知をユーザ端末１８０から受信すると、これらの情報を対応づけて払出通知データベース１２２に格納する。このように、サーバ１１０は、払出通知送信用画面６００を通じてユーザ１９０が指定した払出金額を示す情報及び払出通知をユーザ端末１８０から受信すると、払出金額を示す払出金額情報を、払出通知を送信したユーザＩＤに対応づけて保持する。なお、サーバ１１０は、払出通知データベース１２２に払出情報を格納するとともに、元帳データベース１２１にアクセスして、元帳データベース１２１に格納される残高から払出金額を減じる。
【００６０】
払出通知データベース１２２に情報が格納されると、図３のＳ３３２、Ｓ３３４、Ｓ３４０、Ｓ３４２、Ｓ３４４及びＳ３４６等に関連して説明したように、ユーザ端末１８０をＣＤ１００に再度タッチするだけで現金の払い出しをすることが可能になる。具体的には、ユーザ端末１８０をＣＤ１００に再度タッチすると、ＮＦＣ部２６０から送信されたユーザＩＤをＮＦＣ部２１０によって受信される。そして、払出確認部２００は、ＮＦＣ部２１０が受信したユーザＩＤを、サーバ通信部２２０からサーバ１１０へ送信させる。そして、サーバ通信部２２０は、当該ユーザＩＤに対応づけてサーバ１１０が保持している払出金額情報をサーバ１１０から受信する。そして、現金払出部２３０は、サーバ１１０から受信した払出金額情報が示す払出金額の現金を払い出す。
【００６１】
以上に説明した現金払出システム５によれば、ユーザ１９０は、ユーザ端末１８０を用いた簡単な操作でＣＤ１００から現金を引き出すことができる。また、ＣＤ１００やサーバ１１０内の制御に関する情報をユーザ端末１８０に送信する必要がない。そのため、安全性の高い現金払出システムを提供できる。
【００６２】
（現金払出システム５の第１変形例）
上述したように、現金払出システム５では、ＮＦＣ部２１０は、第１の近距離無線通信によってユーザ端末１８０の存在を検出したことに応じて、払出通知をサーバ１１０に送信するためのユーザインタフェースを有効化させる。ここで、現金払出システム５の第１変形例では、ＮＦＣ部２１０は、第１の近距離無線通信によってユーザ端末１８０の存在を検出したことに応じて、ユーザＩＤをユーザ端末１８０から更に受信してもよい。そして、現金払出部２３０は、ＮＦＣ部２１０が第１の近距離無線通信によって受信したユーザＩＤと、ＮＦＣ部２１０が第２の近距離無線通信によって受信したユーザＩＤとが一致する場合に、現金を払い出してよい。
【００６３】
第１変形例の第１実装例として、払出確認部２００は、第１の近距離無線通信において受信したユーザＩＤを予め定められた時間保持してよい。そして、第２の近距離無線通信において受信したユーザＩＤが、払出確認部２００が保持しているユーザＩＤと異なる場合に、現金の払い出しを受け付けない旨をユーザ１９０に通知してよい。例えば、ＮＦＣ部２１０による近距離無線通信を用いて、現金の払い出しを受け付けない旨をユーザ端末１８０に通知してよい。また、エラー時に点灯させる点灯装置をＣＤ１００に設けて、点灯装置を点灯させることによって、現金の払い出しを受け付けない旨をユーザ１９０に通知してよい。これにより、同一のＣＤ１００にユーザ端末１８０を２回タッチさせた場合に限り、払い出しを可能にすることができる。
【００６４】
第１変形例の第２実装例として、払出確認部２００は、第１の近距離無線通信において受信したユーザＩＤを、払出装置ＩＤとともにサーバ１１０に送信して、サーバ１１０に保持させてよい。サーバ１１０は、ＣＤ１００から受信した払出装置ＩＤを予め定められた時間保持する。そして、例えば図３のＳ３２２において、保持しているユーザＩＤに一致するユーザＩＤを受信すると、Ｓ３２６において、当該ユーザＩＤと保持している払出装置ＩＤとの組み合わせを、払出通知データベース１２２に格納してよい。そして、図３のＳ３４２においては、Ｓ３４０で受信したユーザＩＤと払出装置ＩＤとの組み合わせを検索して、当該組み合わせが払出通知データベース１２２に格納されていない場合は、Ｓ３４４において払い出しを許可しない旨をＣＤ１００に送信してよい。
【００６５】
このように、現金払出システム５における第１変形例の第２実装例では、ＮＦＣ部２１０は、第１の近距離無線通信によってユーザ端末１８０の存在を検出したことに応じて、第１の近距離無線通信においてユーザＩＤをユーザ端末１８０から受信し、払出確認部２００は、第１の近距離無線通信によってユーザ端末１８０から受信したユーザＩＤと、払出装置ＩＤとを、サーバ１１０へと送信させる。そして、サーバ１１０は、ＣＤ１００から受信したユーザＩＤと払出装置ＩＤとを対応づけて保持する。払出確認部２００は、ＮＦＣ部２１０が第２の近距離無線通信によってユーザＩＤをユーザ端末１８０から受信したことに応じて、受信したユーザＩＤと払出装置ＩＤとを、サーバ通信部２２０からサーバ１１０へ送信させる。サーバ１１０は、ＣＤ１００からユーザＩＤ及び払出装置ＩＤを受信した場合に、受信したユーザＩＤに対応づけて受信した払出装置ＩＤを保持していることを条件として、ＣＤ１００が現金を払い出すことをＣＤ１００に許可する。
【００６６】
以上に説明した現金払出システム５の第１変形例によれば、最初に用いたＣＤ１００とは異なるＣＤ１００から現金の払い出しを禁止することができる。そのため、ユーザ端末１８０で払出通知を送信した後にユーザ端末１８０が盗まれたとしても、他のＣＤ１００で現金が引き出されることがない。したがって、現金払出システム５の第１変形例によれば、不正利用される可能性を低減することができる。
【００６７】
（現金払出システム５の第２変形例）
現金払出システム５の第２変形例として、ＣＤ１００は、近距離無線通信の通信可能範囲より広い範囲にビーコンを発信するビーコン発信部を更に有してよい。ユーザ端末１８０は、ビーコン信号を受信するビーコン信号受信部を更に有してよい。ここで、ビーコン信号は、図３のＳ３０６の有効化信号を代替する信号であってよい。具体的には、ビーコン信号は、払出通知をサーバ１１０に送信するためのユーザインタフェースをユーザ端末１８０に表示させる信号であってよい。この第２変形例では、ユーザ端末１８０がビーコン信号を受信した場合には、ユーザ端末１８０は図３のＳ３１２の処理を実行してよい。その後、ユーザ端末１８０、ＣＤ１００及びサーバ１１０は、図３のＳ３１４以降の処理を実行してよい。
【００６８】
（現金払出システム５の第３変形例）
図８は、現金払出システム５の第３変形例としての現金払出システム８０５の利用環境の一例を概略的に示す。現金払出システム８０５が備える構成要素のうち、現金払出システム５が備える構成要素と同様の機能を有する構成要素には、現金払出システム５の構成要素に付した符号と同一の符号を付して、その説明を省略する場合がある。また、現金払出システム８０５と現金払出システム５との相違点を主として説明する。
【００６９】
現金払出システム８０５は、現金払出システム５が備える構成要素に加えて、受付装置８００を備える。受付装置８００は、ＣＤ１００ａ、ＣＤ１００ｂ及びＣＤ１００ｃに対応づけて設けられる。受付装置８００は、ＣＤ１００ａ、ＣＤ１００ｂ及びＣＤ１００ｃとは異なる位置に設けられる。一利用例として、ＣＤ１００ａ、ＣＤ１００ｂ及びＣＤ１００ｃは、同一店舗内に設けられた現金自動払出機であり、受付装置８００は、当該店舗内の複数のＣＤ１００に対応づけて１つ設けられる。
【００７０】
受付装置８００は、現金払出システム５においてＣＤ１００ａ、ＣＤ１００ｂ及びＣＤ１００ｃがそれぞれ行う第１の近距離無線通信に関する処理を担う。例えば、受付装置８００は、図３のＳ３０２からＳ３０６までの処理を担う。受付装置８００は、現金払出システム８０５におけるＣＤ１００ａ、ＣＤ１００ｂ及びＣＤ１００ｃは、図３のＳ３３２以降の処理を担う。したがって、現金払出システム８０５におけるＣＤ１００ａ、ＣＤ１００ｂ及びＣＤ１００ｃは、現金払出システム５において行われる第１の近距離無線通信に関する処理を行わない。
【００７１】
受付装置８００は、ＮＦＣ機能を有する。具体的には、受付装置８００は、現金払出システム５におけるＮＦＣ部２１０が第１の近距離無線通信で行う機能部分を有する。具体的には、受付装置８００は、近距離無線通信によってユーザ端末１８０と通信し、近距離無線通信によってユーザ端末１８０の存在を検出したことに応じて、サーバ１１０に払出通知を送信するためのユーザインタフェースをユーザ端末１８０に表示させる。
【００７２】
現金払出システム８０５によれば、ユーザ１９０は、ＣＤ１００の前で払出操作を開始する必要がないので、ＣＤ１００で行う払出に係る時間を短縮することができる。一利用例として、ユーザ１９０は、受付装置８００にユーザ端末１８０を近接させてから、ＣＤ１００の利用を待っている利用者の行列の最後に並ぶ。ユーザ１９０は、ＣＤ１００を利用する順番を待っている間に、ユーザ端末１８０を用いて払出金額の入力や払出通知の送信等の払出操作を行うことができる。これにより、ＣＤ１００を利用できるようになれば、ＮＦＣインタフェース面１０２にユーザ端末１８０を１回タッチするだけで、現金払出口１０４からすぐに現金を受け取ることができる。
【００７３】
（現金払出システム８０５の第１変形例）
図９は、現金払出システム８０５の第１変形例において受付装置８００が備える機能ブロックを概略的に示す。現金払出システム８０５の第１変形例において、受付装置８００は、概略的には、現金払出システム５の第１変形例においてＣＤ１００ａ、ＣＤ１００ｂ及びＣＤ１００ｃがそれぞれ行う第１の近距離無線通信に関する処理を担う。受付装置８００は、通信部９００と、ＮＦＣ部９１０とを備える。
【００７４】
ＮＦＣ部９１０は、上述した現金払出システム５の第１変形例に関連して説明したＮＦＣ部２１０の機能と同様の機能を有する。具体的には、ＮＦＣ部９１０は、近距離無線通信によってユーザ端末１８０の存在を検出したことに応じて、ユーザＩＤをユーザ端末１８０から更に受信する。
【００７５】
通信部９００は、ＣＤ１００ａ、ＣＤ１００ｂ及びＣＤ１００ｃと通信する。より具体的には、通信部９００は、ＮＦＣ部９１０が受信したユーザＩＤを、ＣＤ１００ａ、ＣＤ１００ｂ及びＣＤ１００ｃのそれぞれに送信する。
【００７６】
そして、ＣＤ１００ａ、ＣＤ１００ｂ及びＣＤ１００ｃのそれぞれは、上述した現金払出システム５の第１変形例の第１実装例と同様に、受信したユーザＩＤを予め定められた時間保持する。具体的には、払出確認部２００が、ユーザＩＤを予め定められた時間保持する。その後のＣＤ１００における処理は、現金払出システム５の第１変形例の第１実装例において説明した処理と同様であるので、説明を省略する。
【００７７】
現金払出システム８０５の第１変形例によれば、受付装置８００で初回の受付を済ませると、受付装置８００に対応づけられたＣＤ１００のいずれかを利用する順番を待っている間に、ユーザ端末１８０で払出操作を行うことができる。一方、受付装置８００に対応づけられていないＣＤ１００で現金を払い出すことはできない。例えば、一利用例において、ある店舗内の受付装置８００で受付を済ませると、他の店舗内のＣＤ１００で現金が払い出すことはできない。そのため、ある店舗内の受付装置８００で受付をしてユーザ端末１８０で払出通知を送信した後、現金を引き出す前にユーザ端末１８０が盗まれたとしても、他の店舗のＣＤ１００で現金が引き出されることがない。したがって、現金払出システム８０５の第１変形例によれば、口座から現金が不正に引き出される可能性を低減することができる。
【００７８】
（現金払出システム８０５の第２変形例）
現金払出システム８０５の第２変形例において、通信部９００は、上述した現金払出システム５の第１変形例における第２実装例の機能に対応する機能を有してよい。
【００７９】
具体的には、通信部９００は、近距離無線通信において受信したユーザＩＤを、受付装置８００に対応づけられたＣＤ１００ａの払出装置ＩＤ、ＣＤ１００ｂの払出装置ＩＤ及びＣＤ１００ｃの払出装置ＩＤとともにサーバ１１０に送信して、サーバ１１０に保持させる。例えば、サーバ１１０は、受付装置８００から受信した３つの払出装置ＩＤのそれぞれとユーザＩＤとの３つの組み合わせを、予め定められた時間保持する。具体的には、サーバ１１０は、３つの組み合わせを払出通知データベース１２２に格納する。そして、ＣＤ１００ａ、ＣＤ１００ｂ及びＣＤ１００ｃのいずれかからユーザＩＤ及び払出装置ＩＤを受信した場合に、受信したユーザＩＤと払出装置ＩＤとの組み合わせを検索して、当該組み合わせが払出通知データベース１２２に格納されている場合に払い出しを許可する旨を当該ＣＤ１００に送信し、当該組み合わせが払出通知データベース１２２に格納されていない場合に、払い出しを拒否する旨を当該ＣＤ１００に送信する。
【００８０】
このように、現金払出システム８０５の第２変形例によると、受付装置８００において、ＮＦＣ部９１０は、近距離無線通信によってユーザ端末１８０の存在を検出したことに応じて、近距離無線通信においてユーザＩＤをユーザ端末１８０から受信する。通信部９００は、近距離無線通信によってユーザ端末１８０から受信したユーザＩＤと、受付装置８００に対応づけられた１以上のＣＤ１００の払出装置ＩＤとを、サーバ１１０に送信する。サーバ１１０は、受付装置８００から受信したユーザＩＤと払出装置ＩＤとを対応づけて保持する。その後、払出確認部２００は、ＮＦＣ部２１０が近距離無線通信によってユーザＩＤをユーザ端末１８０から受信したことに応じて、受信したユーザＩＤと払出装置ＩＤとをサーバ１１０に送信する。サーバ１１０は、払出確認部２００からユーザＩＤ及び払出装置ＩＤを受信した場合に、払出確認部２００から受信したユーザＩＤに対応づけて払出確認部２００から受信した払出装置ＩＤを保持していることを条件として、ＣＤ１００が現金を払い出すことをＣＤ１００に許可する。現金払出システム８０５の第１変形例と同様に、現金払出システム８０５の第２変形例によっても、口座から現金が不正に引き出される可能性を低減することができる。
【００８１】
上述した現金払出システム５及び現金払出システム５の各変形例、並びに、現金払出システム８０５及び現金払出システム８０５の各変形例によれば、ユーザ１９０は払出操作をユーザ端末１８０で行うことができるので、ディスプレイ等の表示デバイスやタッチパネル等のユーザインタフェースデバイスをＣＤ１００に組み込まずに済む。そのため、ＣＤ１００のコストを削減できる。また、ユーザ１９０はＣＤ１００に手を触れずに払出操作をすることができるので衛生的でもある。また、ＣＤ１００のメンテナンス頻度を小さくすることができる。また、故障が発生する確率を低減することができる。そのため、現金自動払出装置を沢山の場所に設置することが容易になる。例えば、駅や空港等の様々な場所に設置することが容易になる。また、イベント会場等にＣＤ１００や受付装置８００を設置することが容易となる。このように、ＣＤ１００や受付装置８００を動的に設けることが容易になる。
【００８２】
なお、上述した現金払出システム５及び現金払出システム５の各変形例、並びに、現金払出システム８０５及び現金払出システム８０５の各変形例として、現金自動払出機であるＣＤ１００を取り上げて説明した。しかし、現金払出システムとは、現金自動預払機（ＡＴＭ）やＡＴＭを利用するシステムを含む概念である。上述したＣＤ１００に関連する機能の少なくとも一部を現金自動預け払い機（ＡＴＭ）に適用して、上述した現金払出システム５や現金払出システム８０５に関連する機能の少なくとも一部をＡＴＭシステムに適用できる。また、現金払出システムの適用対象は、銀行口座からの現金引き出しに限られない。現金払出システムは、各種の金融口座からの現金引き出しや、キャッシング等にも適用できる。
【００８３】
上記の説明において、ＣＤ１００の動作として説明した処理の少なくとも一部は、プロセッサがプログラムに従ってコンピュータが有する各ハードウェア（例えば、ハードディスク、メモリ等）を制御することにより実現できる。このように、ＣＤ１００の処理の少なくとも一部は、プロセッサがプログラムに従って動作して各ハードウェアを制御することにより、プロセッサ、ハードディスク、メモリ等を含む各ハードウェアとプログラムとが協働して動作することにより実現できる。すなわち、プログラムが、ＣＤ１００の各部としてコンピュータを機能させることができる。コンピュータは、上述した処理の実行を制御するプログラムを読み込み、読み込んだプログラムに従って動作して、当該処理を実行してよい。コンピュータは、当該プログラムを記憶しているコンピュータ読取可能な記録媒体から当該プログラムを読み込むことができる。また、当該プログラムは通信回線を通じてコンピュータに供給され、コンピュータは、通信回線を通じて供給されたプログラムを読み込んでよい。
【００８４】
なお、ＮＦＣに基づく無線通信は、近距離無線通信の一例である。近距離無線通信としては、ＮＦＣ及びＦｅｌｉｃａ（登録商標）等の近接場型無線通信、Ｂｌｕｅｔｏｏｔｈ（登録商標）等に基づく無線通信、並びにＩｒＤＡ等に基づく赤外線通信等を例示できる。
【００８５】
同様に、サーバ１１０の動作として説明した処理の少なくとも一部は、プロセッサがプログラムに従ってコンピュータが有する各ハードウェアを制御することにより実現でき、プログラムがサーバ１１０としてコンピュータを機能させることができる。また同様に、ユーザ端末１８０の動作として説明した処理の少なくとも一部は、プロセッサがプログラムに従ってコンピュータが有する各ハードウェアを制御することにより実現できる。プログラムが、ユーザ端末１８０の各部としてコンピュータを機能させることができる。これらのプログラムも、当該プログラムを記憶しているコンピュータ読取可能な記録媒体としてコンピュータに供給できる。また、これらのプログラムも、通信回線を通じてコンピュータに供給され、コンピュータは、通信回線を通じて供給されたプログラムを読み込んでよい。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００８７】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００８８】
５  現金払出システム
１００  ＣＤ
１０２  ＮＦＣインタフェース面  
１０４  現金払出口
１１０  サーバ
１２０  データベースサーバ
１２１  元帳データベース
１２２  払出通知データベース
１２３  認証情報データベース
１６０  銀行ネットワーク
１７０  通信ネットワーク
１８０  ユーザ端末
１９０  ユーザ
２００  払出確認部
２１０  ＮＦＣ部
２２０  サーバ通信部
２３０  現金払出部
２５０  処理部
２６０  ＮＦＣ部
２７０  通信部
２８０  表示部
４００  ログイン画面
４１０  入力ボックス
４２０  入力ボックス
４３０  入力ボックス
４４０  ログインボタン
５００  メニュー選択画面
５１０  選択ボタン
６００  払出通知送信用画面
６１０  入力ボックス
６２０  出金通知送信ボタン
８００  受付装置
８０５  現金払出システム
９００  通信部
９１０  ＮＦＣ部
【要約】      （修正有）【課題】ユーザ端末を用いた簡単な操作で現金を出金できる安全性が高いシステムを提供する。【解決手段】現金払出システムは、近距離無線通信によって、ユーザ識別情報をユーザ端末１８０から受信する端末通信部２１０と、端末通信部が近距離無線通信によってユーザ識別情報を受信したことに応じて、現金を払い出す旨の払出通知を送信したユーザ端末のユーザのユーザ識別情報を保持するサーバと通信して、端末通信部が受信したユーザ識別情報をサーバが保持しているか否かを確認する払出確認部２００と、端末通信部が受信したユーザ識別情報をサーバが保持していることが払出確認部によって確認された場合に、現金を払い出す現金払出部２３０とを備える。【選択図】図２【図１】
0005961727.tif 000002
【図２】
0005961727.tif 000003
【図３】
0005961727.tif 000004
【図４】
0005961727.tif 000005
【図５】
0005961727.tif 000006
【図６】
0005961727.tif 000007
【図７】
0005961727.tif 000008
【図８】
0005961727.tif 000009
【図９】
0005961727.tif 000010